(57)【要約】【課題】流し台での設置安定性に優れ、保持具への板状部材の着脱が円滑に行なえる板状部材の保持具を提供すること。【解決手段】所定深さで且つ板状部材の厚みよりやや大の幅寸法のＵ溝１４を有し、Ｕ溝１４を形成する２つの壁面のうちの一方の壁面の長手方向の両側には端側に向けて先細となる楔形状の切り欠き部１５を有する長尺状本体部１と、切り欠き部１５の形状に略対応する鉛直面と傾斜面の２つの面を有する楔状係止片３ａと、切り欠き部１５に楔状係止片３ａを螺合により取り付ける螺子４ａとを有し、楔状係止片３ａを切り欠き部１５に配置し、螺子締めすることにより長手方向の中心方向に前進させて、楔状係止片３ａの鉛直面とＵ字溝を形成する２つの内壁のうちの他方の壁面とで板状部材を挟持する板状部材の保持具。【選択図】図１
0003155676.tif 000002
【実用新案登録請求の範囲】
【請求項１】
設置台に板状部材を起立状に保持する部材であって、
所定深さで且つ板状部材の厚みよりやや大の幅寸法のＵ溝を有し、該Ｕ溝を形成する２つの壁面のうちの一方の壁面の長手方向の両側には端側に向けて先細となる楔形状の切り欠き部を有する長尺状本体部と、
該切り欠き部の形状に略対応する鉛直面と傾斜面の２つの面を有する楔状係止片と、
該切り欠き部に該楔状係止片を螺合により取り付ける螺子とを有し、
該楔状係止片を該切り欠き部に配置し、螺子締めすることにより長手方向の中心方向に前進させて、該楔状係止片の鉛直面とＵ字溝を形成する２つの内壁のうちの他方の壁面とで板状部材を挟持することを特徴とする板状部材の保持具。
【請求項２】
該楔状係止片の上下方向の中央部には、該鉛直面に平行に延びる螺子孔が形成されていることを特徴とする請求項１記載の板状部材の保持具。
【請求項３】
該切り欠き部には、長手方向に延びる雌螺子がきられていることを特徴とする請求項１又は２記載の板状部材の保持具。
【請求項４】
該板状部材は、ガラス板であることを特徴とする請求項１〜３のいずれか１項に記載の板状部材の保持具。
【請求項５】
該設置台は、流し台又はコンロ台であることを特徴とする請求項１〜４のいずれか１項に記載の板状部材の保持具。
【考案の詳細な説明】
【技術分野】
【０００１】
本考案は、例えば流し台やガスコンロ台などのキッチン台（設置台）に設置されるものであって、水はねなどがキッチン台背面の立壁に付着することを防止するガラス板などの板状部材を起立状に保持する保持具に関するものである。
【背景技術】
【０００２】
従来、キッチンの例えば流し台やコンロ台等の設置台では、水はねや調理時の煙等による油がキッチン台を設置した近傍の立壁に付着することがあった。この場合、キッチン台の背面の立壁に付着する水分や油分を頻繁に清掃する必要があった。しかし、立壁のタイルの目地等に付着した油は掃除しにくく、また流し台（シンク）の水はねで立壁等が湿って、カビの原因となっていた。
【０００３】
これを解決するものとして、流し台、コンロ台等の厨房家具の後部上端縁から手前側に一定量入り込んだ中間上面位置に、その中間上面からほぼ垂直に突出する衝立状の突出背板が、シンク、コンロ部等の厨房機能部と前記後部上端縁との双方の領域を遮断するように設置されている厨房家具が知られている（特開２００３−８８４３２号公報）。この厨房家具は、例えば流し台１の上面後部から垂直方向に立ち上がる突出背板としてガラス板８を設け、このガラス板８をその両側でホルダ７に対し着脱可能に差し込んで保持させるものである。
【考案の開示】
【考案が解決しようとする課題】
【０００４】
しかしながら、特開２００３−８８４３２号公報のホルダ７は棒状部材が起立するものであり、流し台における設置安定性が十分ではないという問題がある。また、ホルダ７（保持具）へのガラス板８（板状部材）の着脱が円滑に行い難いという問題がある。
【０００５】
従って、本考案の目的は、流し台での設置安定性に優れ、保持具への板状部材の着脱が円滑に行なえる板状部材の保持具を提供することである。
【０００６】
かかる実情において、本考案者は鋭意検討を行った結果、Ｕ溝を形成する２つの壁面のうちの一方の壁面の長手方向の両側には端側に向けて先細となる楔形状の切り欠き部を有する長尺状本体部と、該切り欠き部の形状に略対応する鉛直面と傾斜面の２つの面を有する楔状係止片と、該切り欠き部に該楔状係止片を螺合により取り付ける螺子とを備え、該楔状係止片を該切り欠き部に配置し、螺子を締め付けることにより長手方向の中心方向に前進させて、該楔状係止片の鉛直面とＵ字溝を形成する２つの内壁のうちの他方の壁面とで板状部材を挟持するものとすれば、流し台などの設置台における設置安定性に優れ、保持具への板状部材の着脱が円滑に行なえることなどを見出し、本考案を完成するに至った。
【０００７】
すなわち、本考案は、設置台に板状部材を起立状に保持する部材であって、所定深さで且つ板状部材の厚みよりやや大の幅寸法のＵ溝を有し、該Ｕ溝を形成する２つの壁面のうちの一方の壁面の長手方向の両側には端側に向けて先細となる楔形状の切り欠き部を有する長尺状本体部と、該切り欠き部の形状に略対応する鉛直面と傾斜面の２つの面を有する楔状係止片と、該切り欠き部に該楔状係止片を螺合により取り付ける螺子とを有し、該楔状係止片を該切り欠き部に配置し、螺子締めすることにより長手方向の中心方向に前進させて、該楔状係止片の鉛直面とＵ字溝を形成する２つの内壁のうちの他方の壁面とで板状部材を挟持する板状部材の保持具を提供するものである。
【考案の効果】
【０００８】
本考案によれば、流し台などの設置台における設置安定性に優れ、保持具への板状部材の着脱が円滑に行なえる。
【図面の簡単な説明】
【０００９】
【図１】本実施の形態における板状部材の保持具の斜視図である。
【図２】図１の板状部材の保持具の一部の分解斜視図である。
【図３】図１の板状部材の保持具を構成する長尺状本体部の左側面図である。
【図４】長尺状本体部の一部を切り欠いた斜視図である。
【図５】長尺状本体部の一部を切り欠いた他の斜視図である。
【図６】締め付け前の板状部材の保持具の斜視図である。
【図７】図６の平面図である。
【図８】締め付け後の板状部材の保持具の斜視図である。
【図９】図８の平面図である。
【図１０】図１の板状部材の保持具を取り付けた厨房家具の斜視図である。
【図１１】楔状係止片３ａを傾斜面側から見た斜視図である。
【考案を実施するための形態】
【００１０】
板状部材の保持具１０は、設置台に板状部材２を起立状に保持する部材であって、長尺状本体部１と、楔状係止片３ａと、長尺状本体部１に形成された切り欠き部１５に楔状係止片３ａを螺合により取り付ける螺子４ａとを備える。
【００１１】
長尺状本体部１は、所定深さｈで且つ板状部材の厚みｗ１よりやや大の幅寸法ｗ２のＵ溝１４を有し、Ｕ溝１４を形成する２つの壁面２１、２２のうちの一方の壁面２２の長手方向の両側には端側に向けて先細となる楔形状の切り欠き部１５を有する。
【００１２】
長尺状本体部１は、通常ステンレスなどの金属製のものである。長尺状本体部１が金属製であると、剛性が高いため、設置台への設置と板状部材２の設置が共に安定する。長尺状本体部１は、設置状態における正面から見た正面視の形状は細長の長方形状であり、Ｕ溝１４を形成する２つの側壁部と底部とからなる。なお、角部は面取り又はアール形状として、人の手などを傷つけないようにしている。
【００１３】
長尺状本体部１の長さは、使用する板状部材２の長さなどにより適宜決定される。長尺状本体部１の長さは、使用する板状部材２の長さと同じか、又はそれより小さいものである。具体的には、長尺状本体部１の長さは、使用する板状部材２の長さの２/３〜１/１程度である。長尺状本体部１の長さが、使用する板状部材２の長さの２/３〜１/１程度であれば、板状部材２の設置が安定する。
【００１４】
長尺状本体部１の高さは、２５ｍｍ以上、好適には３０ｍｍ以上である。長尺状本体部１の高さが余り低過ぎると、板状部材２の把持部分が小さくなり、設置安定性が低下する。長尺状本体部１の高さの上限値は、設置安定性の点からは制限されないものの、機能面、意匠面及び材料の無駄使い防止の観点から、５０ｍｍ程度である。
【００１５】
本例のＵ溝１４は、文字通りのＵ字ではなく、両側の壁面が垂直壁であり、底面は平面の横コ字形状である。なお、Ｕ溝１４は、このような形状に限定されず、例えば底面が下側に突となる文字通りのＵ字形状であってもよい。
【００１６】
Ｕ溝１４の所定深さｈは、例えば２０〜４５ｍｍ程度である。Ｕ溝１４の所定深さｈがこの程度であれば、板状部材２の設置安定性としては十分である。また、Ｕ溝１４の幅寸法ｗ２は、板状部材２の厚みｗ１よりやや大の幅寸法である。具体的には、Ｕ溝１４の幅寸法ｗ２は、板状部材２の厚みｗ１より０．３〜１．０ｍｍ程度、好適には０．４〜０．７ｍｍ程度、大であればよい。Ｕ溝１４の幅寸法ｗ２は、板状部材２の厚みｗ１より少し大とすることで、Ｕ溝１４への板状部材２の取り付けが円滑となり、また、楔状係止片３ａによる締め付けも短時間で済む。
【００１７】
長尺状本体部１の切り欠き部１５は、長尺状本体部１の長手方向の両側端部にそれぞれ形成されるため、一方の切り欠き部１５についてのみ説明する。切り欠き部１５の長手方向の長さは、適宜決定すればよいが、鉛直面と傾斜面で形成される角度が１０〜２５度、好適には１２〜２０度となるような長さでよい。鉛直面と傾斜面で形成される角度が余り大き過ぎると、楔による締め付け効果が得られ難い。
【００１８】
長尺状本体部１の切り欠き部１５におけるＵ溝１４の底面は、本例では段差を有している。この段差は、切り欠き部１５を切削加工により形成する際、形成されるものであり、なくてもよい。すなわち、Ｕ溝１４を形成する２つの壁面２１、２２のうちの一方の壁面２２が切り欠かれて、切り欠き部１５の底面は段差のない平面、すなわち、Ｕ溝１４の底面は、切り欠き部１５及び切り欠き部１５以外の部分において面一であってもよい。
【００１９】
長尺状本体部１の設置台と当接する底面は平面部分を有する。これにより、水平な上面を有する設置台にガタツキがなく安定して設置できる。また、長尺状本体部１のＵ溝１４の底面には、上下方向に貫通する螺子孔１９が形成されている。これにより、水平な上面を有する設置台の螺子孔を利用して長尺状本体部１を固定できる。
【００２０】
長尺状本体部１の切り欠き部１５には、鉛直壁１２の幅方向の中心位置であって、螺子の軸芯が長手方向に延びる雌螺子がきられている。この雌螺子は、切り欠き面が傾斜面となるため、開口部分１６は部分螺子であり、少し奥に入ったところから完全な雌螺子となる。また、開口部分１６の先端寄りの切り欠き部１５には、螺子の締め付け時の障害とならないように、螺子４ａの螺子頭４１が納まる切り欠き１７を有している。なお、長尺状本体部１のＵ溝１４の鉛直壁１３は、切り欠き部１５が形成されておらず、板状部材２と面-面接触で当接する。
【００２１】
楔状係止片３ａは、両側でそれぞれ同じものを使用するため、ひとつの楔状係止片３ａについてのみ説明する。楔状係止片３ａは、切り欠き部１５の形状に略対応する鉛直面３２と傾斜面３１の２つの面を有する、平面視が直角三角形のものである。楔状係止片３ａの高さはＵ溝の高さｈと同じであり、楔状係止片３ａの傾斜面３１の長さは切り欠き部１５の傾斜面１５１の長さより僅かに小である。また、楔状係止片３ａを切り欠き部１５に取り付けた際、楔状係止片３ａの傾斜面３１と切り欠き部１５の傾斜面１５とが密着状態となる。これにより、楔による締め付け効果が発現する。なお、鉛直面３２の「鉛直」の意味は使用状態基準であり、傾斜面３１の「傾斜」は、鉛直面３２に対して傾斜する面という意味である。  
【００２２】
楔状係止片３ａの幅方向の中心であって上下方向の中央部には、孔の軸中心が鉛直面３２に平行に延びる螺子孔３３が形成されている。螺子孔３３には螺子が切られていない。螺子孔３３に螺子が切られていなくとも、長尺状本体部１に雌螺子が切られており、螺子４ａを締め付ければ、楔状係止片３ａは前進する。なお、楔状係止片３ａの角部は面取り又はアール形状として、人の手などを傷つけないようにしている。
【００２３】
螺子４ａは螺子頭４１と螺子本体部４２を有し、螺子本体部４２は楔状係止片３ａを長尺状本体部１に取り付けた際、先端部分が長尺状本体部１の螺子に十分螺合する長さを有するものである。
【００２４】
板状部材２としては、ガラス板及び樹脂板の方形物が挙げられる。また、板状部材２は透明板又は半透明板であることが、遮断のイメージを減少させる点で好ましい。板状部材２の長さは、シンク、コンロ部等の厨房機能部と後部上端縁との双方の領域を遮断するに十分な長さであり、板状部材２の高さは、水はねや調理時の煙等による油がキッチン台を設置した近傍の立壁に付着せず、板状部材２に付着するような長さである。
【００２５】
設置台としては、流し台、コンロ台などのキッチン台５１が挙げられる。そして、板状部材の保持具１０は、キッチン台５１の後部上端縁５２から手前側に一定量入り込んだ中間上面５３の位置であって、シンク、コンロ部等の厨房機能部５４と後部上端縁５２との双方の領域を遮断するように設置すれば、水はねや調理時の煙等による油が板状部材に付着して、キッチン台を設置した近傍の立壁に付着することを防止する（図１０参照）。
【００２６】
次に、板状部材の保持具１０の使用方法について説明する。流し台、コンロ台などのキッチン台の雌螺子が切られた所定位置に長尺状本体部１を設置する。次いで、螺子を螺子孔１９に通して長尺状本体部１を螺子止めする。従来の起立状のホルダでは、設置安定性に問題があったが、本考案の場合、高さの低い長尺状本体部１を螺子止めするため、設置安定性は極めて高い。
【００２７】
次いで、長尺状本体部１のＵ溝１４に板状部材２の下端部を差し込む。長尺状本体部１のＵ溝１４の幅寸法は、板状部材２の厚さ寸法より僅かに大であるため、板状部材２の下端部の差し込みは楽に行なえる。
【００２８】
次いで、長尺状本体部１に対する板状部材２の長手方向における位置の微調整を行い、位置が決まった時点で、螺子４ａを螺子孔を通してセットした楔状係止片３ａを長尺状本体部１の両側から切り欠き部１５に配置する（図６及び図７）。なお、楔状係止片３ａには、予め螺子４ａを螺子孔を通してセットする必要はなく、楔状係止片３ａを切り欠き部１５に配置した後、螺子４ａを螺子孔に通すようにしてもよい。図６及び図７の状態では、楔状係止片３ａの鉛直面３２と板状部材２間には若干の隙間ｕが存在している。従って、この状態は固定ではない。
【００２９】
次いで、螺子４ａを締め付ける方向にドライバーで回転し、螺子締めすることにより楔状係止片３ａを長手方向の中心方向に前進させる。この際、楔状係止片３ａは前進するとともに、板状部材２の方へ横移動する。これにより、板状部材２を押し付けると共に楔効果が発現する。楔状係止片３ａの鉛直面３１は板状部材２の側面を押し付けるため、楔状係止片３ａの鉛直面３１とＵ字溝を形成する２つの内壁のうちの他方の壁面２１とで板状部材２を強く挟持することができる。
【産業上の利用可能性】
【００３０】
居住用住宅、アパート、マンションなどのキッチンの例えば流し台やコンロ台等において、水はねや調理時の煙等による油が、本考案の保持具で支持された板状部材に付着するため、水や油類がキッチン台近傍の立壁に付着することを防止する。また、この保持具は流し台などの設置台における設置安定性に優れ、保持具への板状部材の着脱が円滑に行なえるため都合がよい。
【符号の説明】
【００３１】
１      長尺状本体部
２      板状部材
３ａ    楔状係止片
４ａ    螺子
１０      板状部材の保持具
１４      Ｕ溝
１５      切り欠き部
２１      Ｕ溝を形成する一方の壁面
２２      Ｕ溝を形成する他方の壁面
【図１】
0003155676.tif 000003
【図２】
0003155676.tif 000004
【図３】
0003155676.tif 000005
【図４】
0003155676.tif 000006
【図５】
0003155676.tif 000007
【図６】
0003155676.tif 000008
【図７】
0003155676.tif 000009
【図８】
0003155676.tif 000010
【図９】
0003155676.tif 000011
【図１０】
0003155676.tif 000012
【図１１】
0003155676.tif 000013